(57)【要約】【課題】撮影条件によって画像から特徴領域を抽出し、抽出した領域に応じて画質劣化成分を除去する処理を切り替えることができるようにする。【解決手段】撮影された画像を読み込む画像読み込み手段と、処理対象の画像が撮影されたときのレンズの光学情報読み込み手段と、前記画像読み込み手段により読み込んだ画像と、前記光学情報読み込み手段で読み込んだ光学情報とを参照して特徴領域を抽出する撮影領域抽出手段と、前記撮影領域抽出手段によって抽出された特徴領域の結果に応じた画像補正処理を行う画像補正処理手段と、前記画像補正処理手段により補正した画像を出力する画像出力手段とを設ける。【選択図】図３
2015109517.tif 000002
【特許請求の範囲】
【請求項１】
撮影された画像を読み込む画像読み込み手段と、
処理対象の画像が撮影されたときのレンズの光学情報を読み込む光学情報読み込み手段と、
前記画像読み込み手段により読み込んだ画像と、前記光学情報読み込み手段で読み込んだ光学情報とを参照して特徴領域を抽出する撮影領域抽出手段と、
前記撮影領域抽出手段によって抽出された特徴領域の結果に応じた画像補正処理を行う画像補正処理手段と、
前記画像補正処理手段により補正した画像を出力する画像出力手段とを備えることを特徴とする画像処理装置。
【請求項２】
撮影された画像を読み込む画像読み込み手段と、
処理対象の画像が撮影されたときのレンズの光学情報を読み込む光学情報読み込み手段と、
前記画像読み込み手段により読み込んだ画像と、前記光学情報読み込み手段で読み込んだ光学情報とを参照して特徴領域を抽出する撮影領域抽出手段と、
前記撮影領域抽出手段によって抽出された特徴領域の結果に応じた画像補正処理を行うための２つ以上の画像補正処理手段と、
前記撮影領域抽出手段によって抽出された特徴領域の結果に応じて、前記画像補正処理手段を切り替える画像補正切り替え手段と、
前記画像補正処理手段により補正した画像を出力する画像出力手段とを備えることを特徴とする画像処理装置。
【請求項３】
前記撮影領域抽出手段は、前記光学情報に基づいて、レンズのイメージサークル径に依存する領域を抽出することを特徴とする請求項１または２に記載の画像処理装置。
【請求項４】
前記画像補正処理手段はゴースト軽減処理およびにじみ軽減処理のいずれか１つ以上の補正を行うことを特徴とする請求項１〜３の何れか１項に記載の画像処理装置。
【請求項５】
前記切り替え手段は、前記撮影領域抽出手段が撮影領域を抽出できた場合には、前記画像補正処理手段が前記特徴領域の外側の領域に含まれる画素値を予め定められた値に変更するゴースト軽減処理を行うように画像補正処理を切り替え、
前記撮影領域抽出手段が撮影領域を抽出できなかった場合には、前記画像補正処理手段が前記ゴースト軽減処理を行わないように画像補正処理を切り替えることを特徴とする請求項２〜４の何れか１項に記載の画像処理装置。
【請求項６】
前記切り替え手段は、前記撮影領域抽出手段が撮影領域を抽出できた場合には、前記画像補正処理手段が前記特徴領域の淵における色にじみ補正処理を行うように画像補正処理を切り替え、
前記撮影領域抽出手段が撮影領域を抽出できなかった場合には、前記画像補正処理手段が前記特徴領域の淵における色にじみ補正処理を行わないように画像補正処理を切り替えることを特徴とする請求項２〜５の何れか１項に記載の画像処理装置。
【請求項７】
撮影された画像を読み込む画像読み込み工程と、
処理対象の画像が撮影されたときのレンズの光学情報を読み込む情報読み込み工程と、
前記画像読み込み工程において読み込んだ画像と、前記情報読み込み工程で読み込んだ光学情報とを参照して特徴領域を抽出する撮影領域抽出工程と、
前記撮影領域抽出工程において抽出された特徴領域の結果に応じた画像補正処理を行う画像補正処理工程と、
前記画像補正処理工程において補正した画像を出力する画像出力工程とを備えることを特徴とする画像処理方法。
【請求項８】
撮影された画像を読み込む画像読み込み工程と、
処理対象の画像が撮影されたときのレンズの光学情報を読み込む光学情報読み込み工程と、
前記画像読み込み工程において読み込んだ画像と、前記光学情報読み込み工程で読み込んだ光学情報とを参照して特徴領域を抽出する撮影領域抽出工程と、
前記撮影領域抽出工程において抽出された特徴領域の結果に応じた画像補正処理を行うための２つ以上の画像補正処理工程と、
前記撮影領域抽出工程において抽出された特徴領域の結果に応じて、前記画像補正処理工程を切り替える画像補正切り替え工程と、
前記画像補正処理工程において補正した画像を出力する画像出力工程とを備えることを特徴とする画像処理方法。
【請求項９】
撮影された画像を読み込む画像読み込み工程と、
処理対象の画像が撮影されたときのレンズの光学情報を読み込む光学情報読み込み工程と、
前記画像読み込み工程において読み込んだ画像と、前記光学情報読み込み工程で読み込んだ光学情報とを参照して特徴領域を抽出する撮影領域抽出工程と、
前記撮影領域抽出工程において抽出された特徴領域の結果に応じた画像補正処理を行う画像補正処理工程と、
前記画像補正処理工程において補正した画像を出力する画像出力工程とをコンピュータに実行させることを特徴とするプログラム。
【請求項１０】
撮影された画像を読み込む画像読み込み工程と、
処理対象の画像が撮影されたときのレンズの光学情報を読み込む光学情報読み込み工程と、
前記画像読み込み工程において読み込んだ画像と、前記光学情報読み込み工程で読み込んだ光学情報とを参照して特徴領域を抽出する撮影領域抽出工程と、
前記撮影領域抽出工程において抽出された特徴領域の結果に応じた画像補正処理を行うための２つ以上の画像補正処理工程と、
前記撮影領域抽出工程において抽出された特徴領域の結果に応じて、前記画像補正処理工程を切り替える画像補正切り替え工程と、
前記画像補正処理工程において補正した画像を出力する画像出力工程とをコンピュータに実行させることを特徴とするプログラム。
【請求項１１】
請求項９または１０に記載のプログラムを記憶したことを特徴とするコンピュータ読み取り可能な記憶媒体。
【発明の詳細な説明】
【技術分野】
【０００１】
本発明は画像に編集処理を施すための画像処理装置及び画像処理方法に関し、特に、画像のレンズ補正に関するものである。
【背景技術】
【０００２】
レンズの収差に起因する補正処理にはフレア補正、ゴースト補正、周辺光量補正、倍率色収差補正、歪曲収差補正、にじみ補正などがある。
フレアは、像光学系を構成するレンズの表面や鏡筒内壁で反射したり散乱したりした不要光が集まり、画像のコントラストが低下してしまう現象で、原画像を画像処理技術により解析して、原画像から画質劣化成分を除去する方法が提案されている。
【０００３】
フレアに対する画質改善手法として、所定の光源で発生するフレアを予め記憶しておき、原画像から光源の明るさを推定し、その明るさでの予測フレアを、記憶フレアを用いて擬似的に発生させ、予測フレアを原画像から減算する方法がある（特許文献１参照）。
【０００４】
フレアの一種として、前述した不要光によって形成されたある程度の形状を持った像としてのゴーストがある。ゴーストに対する画質改善手法として、ゴースト像成分のシミュレーション画像を生成し、原画像からシミュレーション画像を減算する方法がある（特許文献２参照）。
周辺光量補正、倍率色収差補正、歪曲収差補正は、レンズ毎に光学中心からの距離に応じた補正量をあらかじめ保持しておき、光学中心からの距離に応じて補正を行う。
【先行技術文献】
【特許文献】
【０００５】
【特許文献１】特開平１１−３５５６３６号公報
【特許文献２】特開２００８−２８９０３４号公報
【発明の概要】
【発明が解決しようとする課題】
【０００６】
前述の特許文献１、特許文献２に開示された従来技術は、レンズが、撮影で得られる画像の画面対角線以上のイメージサークル径を持っているものを前提としている。
【０００７】
これに対して、画面対角線よりもイメージサークル径が小さいレンズの場合、得られる画像は円形となる。このようなレンズの一例として円周魚眼レンズがある。以降、円形の内側の画像の写っている領域を撮影領域、円形の外側の画像の写っていない領域を撮影外領域と呼ぶ。
【０００８】
前述のように、画面対角線よりもイメージサークル径が小さいレンズの場合、撮影外領域にレンズの影響によるゴーストが生じたり、撮影領域と撮影外領域の境界に鮮やかな色にじみが生じたりしてしまうことがある。そのため、従来技術のような撮影領域に適用した補正とは別の補正が必要となる。
本発明は前述の問題点に鑑み、撮影条件によって画像から特徴領域を抽出し、抽出した領域に応じて画質劣化成分を除去する処理を切り替えることができるようにすることを目的とする。
【課題を解決するための手段】
【０００９】
本発明の画像処理装置は、撮影された画像を読み込む画像読み込み手段と、処理対象の画像が撮影されたときのレンズの光学情報を読み込む光学情報読み込み手段と、前記画像読み込み手段により読み込んだ画像と、前記光学情報読み込み手段で読み込んだ光学情報とを参照して特徴領域を抽出する撮影領域抽出手段と、前記撮影領域抽出手段によって抽出された特徴領域の結果に応じた画像補正処理を行う画像補正処理手段と、前記画像補正処理手段により補正した画像を出力する画像出力手段とを備えることを特徴とする。
【発明の効果】
【００１０】
本発明によれば、撮影条件によって画像から特徴領域を抽出し、抽出した特徴領域に応じて画質劣化成分を除去する処理を切り替えることができるようにした。これにより、撮影条件によって画像の特徴が領域によって異なる場合においても、元画像から画質劣化成分を良好に除去することができる。
【図面の簡単な説明】
【００１１】
【図１】本発明の実施形態における撮像装置の構成例を示すブロック図である。
【図２】本発明の実施形態における撮像装置の機能構成例を示す図である。
【図３】本発明の実施形態における撮像装置の画像処理の流れを示すフローチャートである。
【図４】本発明の実施形態における撮像装置の撮影領域抽出処理の流れを示すフローチャートである。
【図５】本発明の実施形態におけるレンズと撮影領域の対応を表した図である。
【図６】本発明の実施形態における周辺光量補正の補正テーブルを表した図である。
【発明を実施するための形態】
【００１２】
以下に、本発明の好ましい実施形態を、添付の図面に基づいて詳細に説明する。
図１は、本発明の実施形態に係るデジタルカメラの構成例を示すブロック図である。
図１において、１００は撮像装置としてのデジタルカメラである。
１０は撮影レンズで、本実施形態では画面対角線よりもイメージサークル径が小さい円周魚眼レンズであるとする。１２は光学像を電気信号に変換する撮像素子、１４は撮像素子１２のアナログ信号出力をディジタル信号に変換するＡ／Ｄ変換器である。
【００１３】
１６は画像処理部であり、Ａ／Ｄ変換器１４からのデータ或いはメモリ制御部２０からのデータに対して所定の画像処理を行う。画像処理部１６の機能構成例については図２を用いて後述する。
【００１４】
２０はメモリ制御部であり、Ａ／Ｄ変換器１４、画像処理部１６を制御する。Ａ／Ｄ変換器１４のデータが画像処理部１６、メモリ制御部２０を介して、或いはＡ／Ｄ変換器１４のデータが直接メモリ制御部２０を介して、画像表示メモリ２６或いはメモリ２８に書き込まれる。
【００１５】
２６は画像表示メモリ、２２はＤ／Ａ変換器、２４はTFT LCD等から成る画像表示部であり、画像表示メモリ２６に書き込まれた表示用の画像データはＤ／Ａ変換器２２を介して画像表示部２４により表示される。画像表示部２４を用いて撮像した画像データを逐次表示すれば、ライブビュー機能を実現することが可能である。
【００１６】
２８は撮影した静止画像や動画像を格納するためのメモリであり、所定枚数の静止画像や所定時間の動画像を格納するのに十分な記憶量を備えている。これにより、複数枚の静止画像を連続して撮影する連写撮影の場合にも、高速かつ大量の画像書き込みをメモリ２８に対して行うことが可能となる。また、メモリ２８はシステム制御部３２の作業領域としても使用することが可能である。
【００１７】
３２はデジタルカメラ１００の全体を制御するシステム制御部である。３４はシャッタースイッチSW1で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００１８】
３６はシャッタースイッチＳＷ２で、不図示のシャッターボタンの完全な押下でONとなる。これにより、システム制御部３２は撮像素子１２から読み出した信号をＡ／Ｄ変換器１４、メモリ制御部２０を介して、画像処理部１６やメモリ制御部２０での演算を用いた現像処理。および、メモリ２８から画像データを読み出し、不図示の圧縮・伸長回路で圧縮を行い、記録媒体３０に画像データを書き込む記録処理という一連の処理の動作開始を指示する。
【００１９】
図２は、本実施形態における画像処理部１６の機能構成例を示すブロック図である。
２０１は画像読み込み部であり、処理対象の画像を読み込み、画像は画像フォーマットに応じて必要な伸長処理等を行い、メモリ制御部２０に保持される。
【００２０】
２０２は光学情報読み込み部であり、処理対象の画像が撮影されたときのレンズ、焦点距離、絞り、撮影距離などの撮影情報を取得し、メモリ制御部２０に保持する。
２０４は撮影領域抽出部であり、画像読み込み部２０１で読み込んだ画像と、光学情報読み込み部２０２で読み込んだ撮影情報とを参照して撮影領域を抽出する。本実施形態では撮影領域を円形とし撮影領域を中心の座標と半径（Ｃｘ，Ｃｙ，Ｒ）で表す。中心の座標は元画像前の画像の左上を原点とした座標系とする。
【００２１】
２０５はゴースト軽減処理部であり、撮影領域抽出部２０４で抽出した領域を参照してゴースト軽減処理を行う。２０６は幾何学変換部であり、歪曲収差補正、倍率収差補正、アフィン変換など処理を行う。２０７はにじみ軽減処理部であり、画像からにじみを検出して、にじみ軽減処理を行う。２０８は画像出力部であり、画像補正処理を行った画像に必要な伸長処理を行い、メモリに格納する。
【００２２】
次に、実施形態における画像処理装置の動作について説明する。
図３は、シャッタースイッチＳＷ２で撮像素子１２から読み出した信号を画像処理部１６で現像処理する処理の流れを示すフローチャートである。
【００２３】
Ｓ３０１にて、画像読み込み部２０１は処理対象の画像（元画像）を読み込む。
Ｓ３０２にて、光学情報読み込み部２０２は、システム制御部３２から撮影時のレンズ、焦点距離の情報、センサーサイズ、画素ピッチなど撮影情報を読み込む。撮影時のレンズの種類、焦点距離、および絞り値などの光学情報から、レンズによって結像される像のイメージサークルを求め、センサーサイズと比較することで、撮影外領域が生じるか否かを判断することができる。
Ｓ３０３にて、レンズが画像補正切り替えを行う補正対象レンズか否かを判定する。システム制御部３２は、図５に示す補正対象レンズのリストを保持しており、撮影レンズが補正対象に含まれるか否かをリストから判定する。Ｓ３０３で撮影レンズが補正対象に含まれていればＳ３０４に進み、含まれていなければＳ３１０に進む。
さらにＳ３０４にて、センサーサイズと撮影時の焦点距離から、図５に示す焦点距離と撮影領域の対応を参照して補正が可能かどうかの判定を行う。
【００２４】
図５は、レンズ毎の焦点距離と撮影領域の対応を表す図である。
レンズＡの場合、焦点処理が変化するズームレンズの例であるが、焦点距離が１５ｍｍのとき光学中心から半径２２ｍｍまで撮影画像が写っている。また、焦点距離が８ｍｍのときは光学中心から半径８ｍｍまで撮影画像が写っており、それより外側の領域は撮影画像が写らないということを表している。
【００２５】
レンズ、センサーサイズ、焦点距離から撮影された画像に撮影外領域がある場合には、撮影外領域に対する補正が必要と判定してＳ３０５に進み、そうでない場合には、撮影外領域に対する補正は不要と判定してＳ３１０に進む。
Ｓ３０５にて、レンズのイメージサークル径に依存する領域を抽出する撮影領域抽出処理を行う。レンズ、焦点距離、センサーサイズから図５の焦点距離と撮影領域の対応からおおよその撮影外領域の判定が行えるが、実際には、焦点距離の精度や，レンズの製造ばらつきなどにより光学中心ずれなどが生じるため画像の撮影領域が正確ではない。
【００２６】
光学中心ずれがない場合には光学中心は画像中心と一致する。抽出した撮影領域（Ｃｘ，Ｃｙ，Ｒ）の中心（Ｃｘ，Ｃｙ）と、画像中心（Ｗ／２，Ｈ／２）との差分が光学中心のずれとなる。抽出した半径Ｒも前述した理由から、図５を参照して得られる半径とは異なる。このＳ３０５で行われる撮影領域抽出処理については、図４を用いて後述する。
Ｓ３０６にて、撮影領域が抽出できたか否かの判定を行う。Ｓ３０５で撮影領域が抽出できた場合にはＳ３０７に進み、以下で行う画質劣化成分を除去するための画像補正処理の内容を切り替える撮影領域が抽出できなかった場合にはＳ３１０に進む。
【００２７】
Ｓ３０７にて、撮影画像の撮影領域外に写り込んだゴースト除去処理を行う。ゴーストとは、複数のレンズ等を含む光学系において、レンズ表面での反射を介して本来の結像光（有効結像光）が通る光路とは異なる光路を通って像面上に到達した光（不要光）により、視覚的に一定の形状が認められるように形成された光学像である。
【００２８】
なお、ゴーストは、一般に、前述と同様の不要光により形成されるが、むらやかぶり等の一定の形状が認められないように発生するフレアと区別される。
元画像の座標値(ｘ,ｙ)＝(ｉ,ｊ)の画素に係るゴースト除去ゲインをＧ(ｉ,ｊ)とし、次式で定義する。
【００２９】
【数１】
2015109517.tif 000003
【００３０】
ゴースト除去処理後の画像は元画像の画素値にゴースト除去ゲインＧ(ｉ,ｊ)をかけることによって求められる。なお、本実施形態では、撮影外領域の画素値に対してゲイン０をかけているため、撮影外領域の画素値は全て０となり、補正残りによるムラは全く生じない。なお、撮影外領域の画素値に対する処理はこれに限られるものではなく、予め定められた値に全て置換するようにしてもよい。
Ｓ３０８にて、特定された撮影領域の淵に発生するにじみ軽減処理を行う。色にじみ軽減処理は、後述のＳ３０５の処理で撮影領域を抽出するためにエッジ検出を行っており、撮影領域を表すエッジのＲＧＢ値の信号をＧ信号の値に合わせる処理を行うことで、にじみ補正処理を行う。
【００３１】
ここで、Ｇ信号の値に合わせるのは、エッジは画像において、隣接する数画素単位で輝度のレベルが大きく変化する部分である。このような細かい周期での輝度レベルの変化、すなわち、画像の高域成分を検出できるサンプリング構造であることが必要となるが、画像の高周波成分を抽出できるのはＧ信号であるからである。
【００３２】
Ｓ３０９にて、中心ずれを補正する中心補正を行う。元画像の幅をＷ、高さをＨとすると、元画像におけるＰ：(ｘ,ｙ)＝(ｉ,ｊ)の点は、中心ずれの補正により、
【００３３】
【数２】
2015109517.tif 000004
【００３４】
Ｓ３１０にて、レンズの周辺光量補正、倍率色収差補正、歪曲補正を行う。システム制御部３２は、図６に示す像高とゲインの周辺光量補正テーブルをあらかじめ保持しており、元画像の画像中心を光学中心として中心からの距離に応じた補正量を適応する。同様に倍率色収差補正、歪曲収差補正も像高と補正量のテーブルを保持しており、画像中心からの距離に応じた補正量を適応する。
Ｓ３１１にて、画像出力を行う。
【００３５】
本実施形態においては、Ｓ３０６で撮影領域が抽出できた場合には、Ｓ３０９で中心補正を行うことにより、レンズの歪曲補正、倍率色補正、周辺光量補正を行う場合に良好な結果が得られる。
Ｓ３０６で領域の判定ができ、その結果をもとにしてＳ３０７〜Ｓ３０９の画像処理を施した場合には、メタデータに記録するようにしてもよい。
【００３６】
図４は、図３におけるＳ３０５の撮影領域抽出処理の流れを説明するフローチャートである。
Ｓ４０１で、元画像に対して平滑化を行った画像を生成する。撮影された画像は露出やＩＳＯなどによってノイズが異なり、ノイズによって以降の処理に誤検出が発生しないようにするため平滑化を行う。平滑化は、元画像に対して例えば下記のローパスフィルターをかけることによって行う。
【００３７】
【数３】
2015109517.tif 000005
【００３８】
Ｓ４０２で、Ｓ４０１で生成された画像に対してエッジ抽出を行う。
図５を参照して撮影画像のおおよその撮影領域は分かる。例えば、撮影したレンズがレンズＡで焦点距離が９ｍｍの場合、撮影領域は光学中心から半径１３ｍｍの領域である。焦点距離の精度や光学中心が画像中心と一致しているとは限らないため、焦点距離±１ｍｍの範囲で撮影領域の抽出を行う。
【００３９】
焦点距離が８ｍｍの場合、撮影領域の半径は１２ｍｍ、焦点距離が１０ｍｍの場合には撮影領域の半径は１４ｍｍである。撮影領域の領域を元画像のピクセル座標に変換するには、イメージセンサの画素ピッチをかけることによりピクセル座標に変換できる。イメージセンサの画素ピッチをＮｍｍ、元画像の幅をＷピクセル、高さをＨピクセルとすると、元画像のＰ：(ｘ,ｙ)＝(ｉ,ｊ)の点の中心からの半径ｒ(ｉ,ｊ)は次式で求められる。
【００４０】
【数４】
2015109517.tif 000006
【００４１】
Ｓ４０１で生成した画像に対して、前述の焦点距離±１ｍｍの範囲の領域以外、つまりｒ(ｉ,ｊ)＜１０、またはｒ(ｉ,ｊ)＞１４を満たすピクセルにはピクセル値０を挿入する。この画像に対してエッジ抽出を行う。座標値Ｐ(ｘ,ｙ)＝(ｉ,ｊ)の画素に係るエッジをｇ(ｉ,ｊ)で表す。
元画像に対して下記の２つのフィルタを適応した結果を、ｇｘ(ｉ,ｊ)とｇｙ(ｉ,ｊ)とすると、
【００４２】
【数５】
2015109517.tif 000007
【００４３】
Ｓ４０３で、撮影領域の候補の抽出を行う。撮影領域は中心の座標と半径（Ｃｘ，Ｃｙ，Ｒ）で表す。Ｓ４０２の結果の各画素に対して、ｇ(ｉ,ｊ)＞Ｋ（Ｋは定数）を満たす点について、
【００４４】
【数６】
2015109517.tif 000008
【００４５】
前述の式を用いて点(ｉ,ｊ)を新しい三次元空間（centerX,centerY,radius）上に変換すると、三次元空間上の一つの曲面に対応する。centerX,centerYの範囲はそれぞれ０〜Ｗ、０〜Ｈであるが、抽出する領域の中心は画像中心に近いと考えられるので、centerX,centerY範囲を画像中心から±１０ピクセル程度に限定することで計算量を削減できる。
ｇ(ｉ,ｊ)＞Ｋを満たす点が多数あると、空間上に多数の曲面が得られる。それらの曲面が共有する点の個数をカウントし一定以上のものを撮影領域の候補とする。
【００４６】
Ｓ４０４で、撮影領域の候補の数の判定を行う。撮影領域の候補が１つ以下だった場合には、Ｓ４０６に進む。２つ以上の場合にはＳ４０５に進む。
Ｓ４０５では、撮影領域の候補が２つ以上だった場合に、どれが撮影領域として正しいかの判定を行う。
例えば、焦点距離が９ｍｍとすると、撮影領域の半径はおおよそ１３ｍｍであることから半径が１３ｍｍより一定半径以上離れているものと、中心が画像中心から一定ピクセル以上離れているものを除外する。
【００４７】
Ｓ４０６では、抽出された領域の数が１つであるか否かを判定し、１つの場合にはその撮影領域（Ｃｘ,Ｃｙ,Ｒ）を特徴領域として記録する（Ｓ４０７）。抽出された領域の数が２つ以上である場合には、特徴領域の抽出に失敗したと判断し、この処理を終了する。
以上、本発明の好ましい実施形態について説明したが、本発明はこれらの実施形態に限定されず、その要旨の範囲内で種々の変形及び変更が可能である。
【００４８】
本実施形態では円周魚眼レンズを例に説明しているが、他にも異なるセンサーサイズ用のレンズを接続して撮影した場合も考えられる。一般的に、３６ｍｍセンサ用に対して、それよりも小さいセンサ用のレンズを接続して撮影した場合には、レンズの露光面が３６ｍｍセンサ全面にない可能性が高い。
【００４９】
その際、あらかじめ定められた組み合わせであればサイズが算出できる。例えば、３６ｍｍx２４ｍｍのセンサに露光するためには２１．６３５ｍｍの半径で露光できるレンズが必要であるが、２４ｍｍx１６ｍｍのセンサ用のレンズでは半径１４．４２ｍｍでしか露光できないと仮定できる。
【００５０】
このとき、３６mmセンサに２４ｍｍレンズを接続したことが撮影条件から分かった場合には、中心からの距離が１４．４２ｍｍの円形、もしくはそれに内接する矩形が撮影領域であり、実施形態と同様に特徴領域を抽出することができる。このように、センサーサイズがレンズと異なる場合においても、特徴領域を抽出し、抽出した特徴領域に対して画像補正処理を良好に行うことが可能である。
【００５１】
（その他の実施形態）
また、本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００５２】
１０  レンズ
１２  撮像部
１６  画像処理部
２０  メモリ制御部
２８  メモリ
３２  システム制御部
１００  撮像装置
【図１】
2015109517.tif 000009
【図２】
2015109517.tif 000010
【図３】
2015109517.tif 000011
【図４】
2015109517.tif 000012
【図５】
2015109517.tif 000013
【図６】
2015109517.tif 000014